(57)【要約】【課題】携帯端末装置に配置されているＮＦＣアンテナの位置が、容易に把握できるようにする。【解決手段】受信部１０１は、ＮＦＣ通信のために放射された電波を受信する。計測部１０２は、受信部１０１が受信した電波を計測して計測結果を出力する。計測部１０２は、受信部１０１が受信した電波を電力に変換し、変換した電力を計測結果として出力する。表示部１０３は、計測部１０３より出力された計測結果（電力）を表示する。軸部材１０４は、帯電した先端部１０５を有する。また、探索装置１００は、帯電部１０６を備え、帯電部１０６により、先端部１０５の表面を帯電させる。また、受信部１０１と軸部材１０４とは、互いに向かい合って配置されている。【選択図】  図１
2020205512.tif 000002
【特許請求の範囲】
【請求項１】
ＮＦＣ通信のために放射された電波を受信する受信部と、
前記受信部が受信した電波を計測して計測結果を出力するように構成された計測部と、
前記計測部より出力された計測結果を表示するように構成された表示部と、
帯電した先端部を有する軸部材と
を備える探索装置。
【請求項２】
請求項１記載の探索装置において、
前記受信部と前記軸部材とは、互いに向かい合って配置されていることを特徴とする探索装置。
【請求項３】
請求項１または２記載の探索装置において、
前記計測部は、前記受信部が受信した電波を電力に変換し、変換した電力を計測結果として出力することを特徴とする探索装置。
【請求項４】
請求項１〜３のいずれか１項に記載の探索装置において、
前記軸部材の先端部表面を帯電させるように構成された帯電部をさらに備えることを特徴とする探索装置。
【請求項５】
探索装置と携帯端末装置とを備える探索システムであって、
前記探索装置は、
ＮＦＣ通信のために放射された電波を受信する受信部と、
前記受信部が受信した電波を計測して計測結果を出力するように構成された計測部と、
前記計測部より出力された計測結果を表示するように構成された表示部と、
帯電した先端部を有する軸部材と
を備え、
前記携帯端末装置は、
近距離無線通信を行うＮＦＣ機能部と、
タッチ操作が行われる操作面を有し、前記操作面における導体の接触領域の静電容量が変化するタッチ画面と、
前記先端部が接触したことによる前記静電容量の変化に基づいて前記操作面における前記タッチ操作の位置を求めるように構成された制御部と、
前記タッチ画面の、前記制御部が求めた位置に、マークを表示するように構成されたマーク表示部と
を備える探索システム。
【請求項６】
請求項５記載の探索システムにおいて、
前記受信部と前記軸部材とは、互いに向かい合って配置されていることを特徴とする探索システム。
【請求項７】
請求項５または６記載の探索システムにおいて、
前記計測部は、前記受信部が受信した電波を電力に変換し、変換した電力を計測結果として出力することを特徴とする探索システム。
【請求項８】
請求項５〜７のいずれか１項に記載の探索システムにおいて、
前記軸部材の先端部表面を帯電させるように構成された帯電部をさらに備えることを特徴とする探索システム。
【発明の詳細な説明】
【技術分野】
【０００１】
本発明は、近距離無線通信用のアンテナ位置を探索する探索装置および探索システムに関する。
【背景技術】
【０００２】
空調制御システムや産業用制御システムは、センサ・アクチュエータなどのフィールド機器やＩ／Ｏ端末が配置される末端の下位層、これらを入出力対象として制御するコントローラの下位層による２階層の論理階層構造で構成されている。また、これらの上位に、複数のコントローラを束ねて統合的な制御を行うためのコントローラを備える３階層の論理階層構造もある。このようにネットワークを介して制御を実施しているコントローラに対し、内部情報の読み出しや、変更などを実施するために、近距離無線通信（Near field radio communication；ＮＦＣ）で接続した携帯端末装置が用いられるようになっている。
【０００３】
ＮＦＣでは、上述した近距離無線通信では、コントローラに設けられたＮＦＣタグと、携帯端末装置に設けられたＮＦＣ機能部との間で、通信が確立される。このＮＦＣの規格では、通信を確立するためには、双方のＮＦＣアンテナの距離を数センチ以下に接近させる必要がある。しかしながら、一般に、ユーザは携帯端末装置におけるＮＦＣアンテナの設置位置を知らないため、携帯端末装置におけるＮＦＣアンテナの位置を探り当てて通信の接続を確立させるために、多くの時間を要していた。このため、携帯端末装置に設置されているＮＦＣアンテナの配置情報を元に、利用者に、ＮＦＣアンテナの位置を通知する技術が提案されている（特許文献１，２，３参照）。
【先行技術文献】
【特許文献】
【０００４】
【特許文献１】特表２０１５−５２２９５７号公報
【特許文献２】特開２０１７−１０８３９０号公報
【特許文献３】特開２０１６−１００７２７号公報
【発明の概要】
【発明が解決しようとする課題】
【０００５】
しかしながら、ＮＦＣアンテナの配置情報を備えていない携帯端末装置では、ＮＦＣアンテナ位置を通知することができない。また、携帯端末装置の識別情報を用い、無線ネットワークを介してＮＦＣアンテナの配置情報を取得する場合、携帯端末装置が、無線ネットワークに接続可能な状態であることが必要となる。しかしながら、ビル空調用コントローラなどとＮＦＣによる通信を行う場合、情報漏洩などを防ぐため、無線ネットワーク接続など、外部との接続ができない場合がある。これらのように、従来の技術では、携帯端末装置に配置されているＮＦＣアンテナの位置が、容易に把握できない場合があった。
【０００６】
本発明は、以上のような問題点を解消するためになされたものであり、携帯端末装置に配置されているＮＦＣアンテナの位置が、容易に把握できるようにすることを目的とする。
【課題を解決するための手段】
【０００７】
本発明に係る探索装置は、ＮＦＣ通信のために放射された電波を受信する受信部と、受信部が受信した電波を計測して計測結果を出力するように構成された計測部と、計測部より出力された計測結果を表示するように構成された表示部と、帯電した先端部を有する軸部材とを備える。
【０００８】
上記探索装置の一構成例において、受信部と軸部材とは、互いに向かい合って配置されている。
【０００９】
上記探索装置の一構成例において、計測部は、受信部が受信した電波を電力に変換し、変換した電力を計測結果として出力する。
【００１０】
上記探索装置の一構成例において、軸部材の先端部表面を帯電させるように構成された帯電部をさらに備える。
【００１１】
また、本発明に係る探索システムは、探索装置と携帯端末装置とを備える探索システムであって、探索装置は、ＮＦＣ通信のために放射された電波を受信する受信部と、受信部が受信した電波を計測して計測結果を出力するように構成された計測部と、計測部より出力された計測結果を表示するように構成された表示部と、帯電した先端部を有する軸部材とを備え、携帯端末装置は、近距離無線通信を行うＮＦＣ機能部と、タッチ操作が行われる操作面を有し、操作面における導体の接触領域の静電容量が変化するタッチ画面と、先端部が接触したことによる静電容量の変化に基づいて操作面におけるタッチ操作の位置を求めるように構成された制御部と、タッチ画面の、制御部が求めた位置に、マークを表示するように構成されたマーク表示部とを備える。
【００１２】
上記探索システムの一構成例において、受信部と軸部材とは、互いに向かい合って配置されている。
【００１３】
上記探索システムの一構成例において、計測部は、受信部が受信した電波を電力に変換し、変換した電力を計測結果として出力する。
【００１４】
上記探索システムの一構成例において、軸部材の先端部表面を帯電させるように構成された帯電部をさらに備える。
【発明の効果】
【００１５】
以上説明したように、本発明によれば、受信部が受信した電波の強度の大きさにより、発光部の発光の光度を変化させるようにしたので、携帯端末装置に配置されているＮＦＣアンテナの位置が、容易に把握できる。
【図面の簡単な説明】
【００１６】
【図１】図１は、本発明の実施の形態に係る探索システムの構成を示す構成図である。
【図２Ａ】図２Ａは、本発明の実施の形態に係る探索システムの構成を示す斜視図である。
【図２Ｂ】図２Ｂは、本発明の実施の形態に係る探索システムの構成を示す斜視図である。
【図２Ｃ】図２Ｃは、本発明の実施の形態に係る探索システムの構成を示す斜視図である。
【図３】図３は、本発明の実施の形態に係る探索システムの計測部１０２のハードウエア構成を示す構成図である。
【発明を実施するための形態】
【００１７】
以下、本発明の実施の形態に係る探索システムについて図１を参照して説明する。この探索システムは、探索装置１００と携帯端末装置１４０とを備える。
【００１８】
探索装置１００は、受信部１０１、計測部１０２、表示部１０３、および軸部材１０４を備える。
【００１９】
受信部１０１は、ＮＦＣ通信のために放射された電波を受信する。受信部１０１は、例えば、アンテナである。計測部１０２は、受信部１０１が受信した電波を計測して計測結果を出力する。計測部１０２は、受信部１０１が受信した電波を電力に変換し、変換した電力を計測結果として出力する。表示部１０３は、計測部１０３より出力された計測結果（電力）を表示する。軸部材１０４は、帯電した先端部１０５を有する。また、探索装置１００は、帯電部１０６を備え、帯電部１０６により、先端部１０５の表面を帯電させることができる。
【００２０】
受信部１０１、計測部１０２、表示部１０３は、筐体に収容されている。この筐体は、互いに向かい合う対向面を有する一対の第１腕部１２１，第２腕部１２２と、第１腕部１２１と第２腕部１２２とを連結する連結部１２３とを備える。第１腕部１２１の対向面に軸部材１０４が固定されている。また、軸部材１０４は、先端部１０５が第２腕部１２２の方に向いて配置され、受信部１０１は、第２腕部１２２に配置され、受信部１０１と軸部材１０４とは、互いに向かい合って配置されている。受信部１０１は、第２腕部１２２の対向面に放射される電波を受信可能とされている。また、第１腕部１２１と第２腕部１２２との間に、携帯端末装置１４０が出し入れ可能とされている。
【００２１】
携帯端末装置１４０は、ＮＦＣ機能部１４１、タッチ画面１４２、制御部１４３、マーク表示部１４４を備える。
【００２２】
ＮＦＣ機能部１４１は、よく知られた近距離無線通信（Near field radio communication；ＮＦＣ）を行う。ＮＦＣ機能部１４１は、例えば、ＮＦＣコントローラ，ＮＦＣアンテナ，不揮発性メモリなどを備える。タッチ画面１４２は、タッチ操作が行われる操作面を有する。タッチ画面１４２は、よく知られた静電容量型のタッチ羽メルから構成され、操作面は、導体が接触した領域の静電容量が変化する。
【００２３】
制御部１４３は、先端部１０５が接触したことによる静電容量の変化に基づいて操作面におけるタッチ操作の位置を求める。マーク表示部１４４は、タッチ画面１４２の、制御部１４３が求めた位置に、マークを表示する。
【００２４】
実施の形態に係る探索装置および探索システムにおいて、まず、図２Ａに示すように、探索装置１００の第１腕部１２１と第２腕部１２２との間に、タッチ画面１４２を第１腕部１２１の側に向けて、携帯端末装置１４０を配置する。図２Ａに示す状態では、受信部１０１（図２Ａには示していない）のアンテナ１０１ａが、ＮＦＣ機能部１４１（図２Ａには示していない）のＮＦＣアンテナ１４１ａと離れている。このため、ＮＦＣ通信のために、ＮＦＣアンテナ１４１ａ放射された電波は、アンテナ１０１ａでは受信されない。このように、ＮＦＣアンテナ１４１ａ放射された電波がアンテナ１０１ａで受信されない状態では、計測部１０２が計測する電波の強度は、ほぼ０である。このため、計測部１０２は、電力値０を出力し、表示部１０３は、電力値０を表示する。
【００２５】
次に、相対的に、探索装置１００に対して携帯端末装置１４０の位置をずらし、図２Ｂに示すように、軸部材１０４に向かい合っている受信部１０１のアンテナ（図２Ｂには示していない）を、ＮＦＣアンテナ１４１ａに近づけると、ＮＦＣアンテナ１４１ａ放射された電波が、アンテナ１０１ａで受信されるようになる。このように、ＮＦＣアンテナ１４１ａ放射された電波がアンテナ１０１ａで受信されると、計測部１０２により、電波の強度が計測され、計測部１０２からは計測された電波の電力値が出力されるようになる。この出力された電力値が、表示部１０３に表示される。
【００２６】
探索装置１００に対して携帯端末装置１４０の位置をずらし、図２Ｃに示すように、軸部材１０４に向かい合っている受信部１０１のアンテナ（図２Ｃには示していない）を、ＮＦＣアンテナ１４１ａの上に配置すると、受信部１０１のアンテナが、ＮＦＣアンテナ１４１ａに最も近づく状態となる。この状態では、計測部１０２で計測される電波の強度が、最も高くなる。この結果、計測部１０２から出力される電力値は、最も高い値となりり、表示部１０３には、最大となった電力値が表示される。
【００２７】
従って、上述したように、探索装置１００に対して携帯端末装置１４０の位置をずらす中で、表示部１０３に表示される電力値が最大値となる箇所を探せば、このときの軸部材１０４の先端部１０５が指し示す先に、ＮＦＣ機能部１４１（ＮＦＣアンテナ１４１ａ）が配置されていることになる。この、探索装置１００と携帯端末装置１４０との相対的な位置関係を維持し、軸部材１０４の先端部１０５をタッチ画面１４２に接触させる。この先端部１０５のタッチ画面１４２への接触位置は、制御部１４３により求められる。求められた接触位置は、制御部１４３に記憶される。また、マーク表示部１４４は、求められた接触位置のタッチ画面１４２に、所定のマークを表示させる。
【００２８】
例えば、対象となるコントローラのＮＦＣタグが配置されている箇所に、上述したことによりタッチ画面１４２に表示されたマークの位置が重なるように、携帯端末装置１４０を配置すれば、コントローラに設けられたＮＦＣタグと、ＮＦＣ機能部１４１との間で、通信を確立させることができる。また、上述した探索動作により得られた接触位置は、制御部１４３により記憶されているので、以後、対象となるコントローラと携帯端末装置１４０とのＮＦＣによる通信の確立は、探索装置１００による探索動作をすることなく、実施できる。
【００２９】
なお、上述した実施の形態における探索装置の計測部１０２は、図３に示すように、ＣＰＵ（Central Processing Unit；中央演算処理装置）３０１と主記憶装置３０２と外部記憶装置３０３となどを備えたコンピュータ機器とし、主記憶装置に展開されたプログラムによりＣＰＵ３０１が動作する（プログラムを実行する）ことで、上述した各機能が実現されるようにすることもできる。
【００３０】
また、上述した実施の形態における探索装置の計測部１０２は、ＦＰＧＡ（field-programmable gate array）などのプログラマブルロジックデバイス（ＰＬＤ：Programmable Logic Device）により構成することも可能である。例えば、ＦＰＧＡのロジックエレメントに、記憶部、計測部１０２を回路として備えることで、計測部１０２として機能させることができる。記憶回路および計測回路の各々は、所定の書き込み装置を接続してＦＰＧＡに書き込むことができる。また、ＦＰＧＡに書き込まれた上記の各回路は、ＦＰＧＡに接続した書き込み装置により確認することができる。
【００３１】
以上に説明したように、本発明によれば、受信部が受信した電波の強度の大きさに対応する値が、表示部に表示されるようにしたので、携帯端末装置に配置されているＮＦＣアンテナの位置が、容易に把握できるようになる。
【００３２】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３３】
１００…探索装置、１０１…受信部、１０２…計測部、１０３…表示部、１０４…軸部材、１０５…先端部、１０６…帯電部、１２１…第１腕部、１２２…第２腕部、１２３…連結部、１４０…携帯端末装置、１４１…ＮＦＣ機能部、１４２…タッチ画面、１４３…制御部、１４４…マーク表示部。
【図１】
2020205512.tif 000003
【図２Ａ】
2020205512.tif 000004
【図２Ｂ】
2020205512.tif 000005
【図２Ｃ】
2020205512.tif 000006
【図３】
2020205512.tif 000007